(57)【要約】【課題】本発明は、座巾を簡単に調節出来る車椅子を提供することを課題とする。【解決手段】車椅子１の左右側枠３，３を連結しているＸ枠１１，１２を取替えることによって座巾を調節するが、該Ｘ枠１１，１２の下端のベースパイプ１８を該左右側枠３，３の下梁１０からそれぞれ差出されている前後一対の軸受けブラケット１３，１３間に挿入し、上記前後一対の軸受けブラケット１３，１３の軸孔１３Ａを介して回動軸杆２２を該Ｘ枠１１，１２のベースパイプ１８内に挿通することによって該Ｘ枠１１，１２の回動杆１１Ａ，１２Ａを該左右側枠３，３の下梁１０にそれぞれ回動可能に取付け、該軸受けブラケット１３には該軸孔１３Ａ外側を閉鎖して該回動軸杆２２の抜止めをする閉鎖手段２３を取はずし可能に取付ける。【選択図】    図３
2007275492.tif 000002
【特許請求の範囲】
【請求項１】
中央で相互回動可能に結合されている一対の回動杆によって構成されているＸ枠の複数個によって車椅子の左右側枠を連結し、該複数個のＸ枠の上端に座部を支持し、該複数個のＸ枠の左右下端をベースパイプによって連結し、該ベースパイプを該左右側枠の下梁からそれぞれ差出されている前後一対の軸受けブラケット間に挿入し、上記前後一対の軸受けブラケットの軸孔を介して回動軸杆を該Ｘ枠のベースパイプ内に挿通することによって該Ｘ枠の回動杆を該左右側枠の下梁にそれぞれ回動可能に取付け、該軸受けブラケットには該軸孔外側を閉鎖して該回動軸杆の抜止めをする閉鎖手段を取はずし可能に取付けたことを特徴とする車椅子。
【請求項２】
該閉鎖手段は軸受けブラケットに被着するカバーであって、外側板と、内側板と、該外側板と該内側板とを連絡する上板とからなり、該外側板の後部には該側枠の下梁を嵌着する嵌着溝が設けられ、該嵌着溝より前部が閉鎖部となって軸受けブラケットの軸孔外側を閉鎖し、該内側板の後部には該側枠の下梁を嵌着する嵌着溝が設けられ、前部には該Ｘ枠のベースパイプを嵌着する嵌着溝が設けられており、該カバーの内巾は該軸受けブラケットの外巾と略同一に設定されている請求項１に記載の車椅子。
【発明の詳細な説明】
【技術分野】
【０００１】
本発明は座巾調節が出来る車椅子に関するものである。
【背景技術】
【０００２】
車椅子にあっては、使用者の体形によって座巾を変更調節することが望まれる。
車椅子は一般的に図３に示すように左右側枠(3,3) と該左右側枠(3,3) を連結する前後一対のＸ枠(11,12) とからなる基本構造を有し、該一対のＸ枠(11,12) はそれぞれ中央で相互回動可能に結合された回動杆(11A,11A,12A,12A) からなり、該Ｘ枠(11,12) の上端に座部(19)が支持され、該Ｘ枠(11,12) の回動杆(11A,11A,12A,12A) の下端は該左右側枠(3,3) の下梁(10)に回動可能に取付けられている。
従来から座巾を変更するには、Ｘ枠(11,12) の一対の回動杆(11A,11A,12A,12A) の上端の左右巾Ｗを種々に設定したものを準備し、所望の座巾に応じて該回動杆(11A,11A,12A,12A) を選択し交換している。
従来、Ｘ枠(11,12) の一対の回動杆(11A,11A,12A,12A) の下端を側枠(3,3) の下梁(10)に回動可能に取付けるには、図８に示すように該下梁(10)から前後一対の軸受けブラケット(13,13) を差出し、上記従来の軸受けブラケット(13,13) の間に、上記前後一対のＸ枠(11,12) の回動杆(11A,11A,12A,12A) の下端を連結するベースパイプ(18)を挿入し、上記前後一対の軸受けブラケット(13,13) の軸孔(13A) を介して該ベースパイプ(18)内に回動軸杆(22)を挿通し、該回動軸杆(22)の抜止め対策として、該軸受けブラケット(13)にリベット孔(34A) を開設し、該リベット孔(34A) からリベット(34)を打込み、該リベット(34)の先端を該回動軸杆(22)の外周に圧接する構成が提供されている。
【発明の開示】
【発明が解決しようとする課題】
【０００３】
上記従来構成では、座巾を変更するために、Ｘ枠(11,12) を交換する時、該軸受けブラケット(13)のリベット孔(34A )からリベット(34)を抜き取り、該回動軸杆(22)を該軸受けブラケット(13)の軸孔(13A) から抜き出すことによって、該Ｘ枠(11,12) のベースパイプ(18)を該軸受けブラケット(13)を介して該ベースパイプ(18)内から取りはずし、別のＸ枠(11,12) を選択して該Ｘ枠(11,12) のベースパイプ(18)を上記前後一対の軸受けブラケット(13,13) 間に挿入して回動軸杆(22)を該ベースパイプ(18)内に挿通し、該軸受けブラケット(13)のリベット孔(34A) からリベット(34)を打込むと云う手間のかゝる作業が必要であった。
【課題を解決するための手段】
【０００４】
本発明は上記従来の課題を解決するための手段として、中央で相互回動可能に結合されている一対の回動杆(11A,12A) によって構成されているＸ枠(11,12) の複数個によって車椅子(1) の左右側枠(3,3) を連結し、該複数個のＸ枠(11,12) の上端に座部(19)を支持し、該複数個のＸ枠(11,12) の左右下端をベースパイプ(18)によって連結し、該ベースパイプ(18)を該左右側枠(3,3) の下梁(10)からそれぞれ差出されている前後一対の軸受けブラケット(13,13) 間に挿入し、上記前後一対の軸受けブラケット(13,13) の軸孔(13A,13A) を介して回動軸杆(22)を該Ｘ枠(11,12) のベースパイプ(18)内に挿通することによって該Ｘ枠(11,12) の回動杆(11A,12A) を該左右側枠(3,3) の下梁(10)にそれぞれ回動可能に取付け、該軸受けブラケット(13)には該軸孔(13A) 外側を閉鎖して該回動軸杆(22)の抜止めをする閉鎖手段(23)を取はずし可能に取付けた車椅子(1) を提供するものである。
該閉鎖手段(23)は軸受けブラケット(13)に被着するカバー(23)であって、外側板(24)と、内側板(25)と、該外側板(24)と該内側板(25)とを連絡する上板(26)とからなり、該外側板(24)の後部には該側杆下梁(10)を嵌着する嵌着溝(27)が設けられ、該嵌着溝(27)より前部が閉鎖部(28)となって軸受けブラケット(13)の軸孔(13A) 外側を閉鎖し、該内側板(25)の後部には該側杆下梁(10)を嵌着する嵌着溝(29)が設けられ、前部には該Ｘ枠(11,12) のベースパイプ(18)を嵌着する嵌着溝(30)が設けられており、該カバー(23)の内巾は該軸受けブラケット(13)の外巾と略同一に設定されていることが望ましい。
【発明の効果】
【０００５】
〔作用〕
請求項１の発明
座巾を変更するために、Ｘ枠(11,12) を交換する場合には、該左右側枠(3,3) の下梁(10)から差出されている前後一対の軸受けブラケット(13,13) に取付けられている閉鎖手段(23)を取はずせば、該軸受けブラケット(13)の軸孔(13A) を介して該ベースパイプ(18)内から簡単に該回動軸杆(22)を抜き出すことが出来、かくして該Ｘ枠(11,12) のベースパイプ(18)を該軸受けブラケット(13)から取りはずすことが出来る。該Ｘ枠(11,12) を左右側枠(3,3) から取りはずしたら、別の該Ｘ枠(11,12) を選択し、該Ｘ枠(11,12) のベースパイプ(18)を上記前後一対の軸受けブラケット(13,13) 間に挿入し、該軸受けブラケット(13,13) の軸孔(13A) を介して該Ｘ枠(11,12) のベースパイプ(18)内に該回動軸杆(22)を挿通して、該軸受けブラケット(13,13) に閉鎖手段(23,23) を取付ける
【０００６】
請求項２の発明
軸受けブラケット(13,13) の軸孔(13A) を介して該Ｘ枠(11,12) のベースパイプ(18)内に回動軸杆(22)を挿通してから閉鎖手段(23)であるカバー(23)を該軸受けブラケット(13,13) に被着する。この状態で該カバー(23)の外側板(24)の後部嵌着溝(27)のそれぞれに該側枠(3,3) の下梁(10)が嵌着され、該カバー(23)の内側板(25)の前部嵌着溝(30)には該Ｘ枠(11,12) のベースパイプ(18)が嵌着され、該カバー(23)の外側板(24)の前部閉鎖部(28)によって該回動軸杆(22)の抜き止めが達成される。
該Ｘ枠(11,12) を取りはずす時には、該カバー(23)を該軸受けブラケット(13,13) から取りはずし、該回動軸杆(22)を該Ｘ枠(11,12) ベースパイプ(18)内から抜き取る。
【０００７】
〔効果〕
本発明では、Ｘ枠を着脱して車椅子の座巾を使用者が最も操作しやすい巾に調節することが容易に出来、メーカーにとってはＸ枠の種々の寸法のものを準備しておけば座巾の異なる多種類の車椅子を製造しなくて済む。
【発明を実施するための最良の形態】
【０００８】
本発明を図１〜図６に示す一実施例によって説明すれば、図１に示す車椅子(1) の本体(2) は左右一対の側枠(3,3) からなり該側枠(3,3) は座梁部(4) 、前後脚柱部(5,6) 、アームレスト部(7) 、背柱部(8) 、フットレスト支持梁(9) および下梁(10)からなり、該側枠(3,3) は前後一対のＸ枠(11,12) によって結合されている。
【０００９】
該本体(2) の側方において後脚柱部(6,6) には一対の主車輪(15,15) が取り付けられ、前脚柱部(5,5) には取付筒体(48)を介して補助車輪(47)が取り付けられている。またＸ枠(11,12) の上端の一対の座部支持杆(17,17) には座布(19)が差し渡され、該側枠(3,3) の背柱部(8,8) 間には背布(20)が差し渡され、フットレスト支持梁(9) には左右一対のフットレスト(46)が横方向に跳ね上げ可能に取り付けられている。
さらにアームレスト部(7) 上面にはアームレストパッド(21)が取り付けられ、背柱部(8) 上端は屈曲されて把手(45)が取り付けられている。
【００１０】
上記左右の側枠(3,3) を連結している上記前後一対のＸ枠(11,12) は図３に示すようにそれぞれ一対の回動杆(11A,11A) および一対の回動杆(12A,12A) からなり、該一対の回動杆(11A,11A,12A,12A) はそれぞれ中心Ｃを支点に相互回動可能に結合しており、該一対のＸ枠(11,12) の上端において左右一対のパイプ状座部支持杆(17,17) が、下端においては左右一対のベースパイプ(18,18) が差し渡され溶接されている。
【００１１】
該側枠(3) 下部の下梁(10)には、上記Ｘ枠(11,12) のベースパイプ(18)の長さｌ1 分の間隔を介して前後一対の軸受けブラケット(13,13) が溶接され、該軸受けブラケット(13)には軸孔(13A) が設けられている。さらに該側枠(3) の座梁部(4) 上側には上記Ｘ枠(11,12) の座部支持杆(17,17) を受止めする前後一対の杆受け(16,16) が取り付けられている。
【００１２】
さらに上記左右側枠(3,3) の座梁部(4) の後部にはリンクアーム取付ブラケット(14)が溶接され、該リンクアーム取付ブラケット(14)には軸穴であるネジ穴(14A) が設けられている。
【００１３】
該Ｘ枠(11,12) により該側枠(3,3) を連結するには、図３に示すように該Ｘ枠(11,12) のベースパイプ(18)を上記左右側枠(3,3) の下梁(10,10) の前後一対の軸受けブラケット(13,13) の間に挿入し、該軸受けブラケット(13,13) の軸孔(13A) を介して回動軸杆(22)を該ベースパイプ(18)内に挿通する。該回動軸杆(22)の長さは下梁(10,10) の一対の軸受けブラケット(13,13) の外側同志を結んだ長さｌ2 に略一致するよう設定されている。
【００１４】
該回動軸杆(22)が該ベースパイプ(18)内から抜け出さないようにするためには、上記一対の軸受けブラケット(13,13) にそれぞれ閉鎖手段を取りはずし可能に取付ける。
【００１５】
閉鎖手段の一例としては、図４に示すようなカバー(23)がある。該カバー(23)は該軸受けブラケット(13)に被着されるが、外側板(24)と、内側板(25)と、上板(26)とからなり、該外側板(24)の後部には該側枠(3) の下梁(10)を嵌着するための嵌着溝(27)が設けられ、該嵌着溝(27)より前部が該軸受けブラケット(13)の軸孔(13A) を外側から閉鎖する閉鎖部(28)とされており、該内側板(25)の後部には該側枠(3) の下梁(10)を嵌着するための嵌着溝(29)が設けられ、前部には該Ｘ枠(11,12) のベースパイプ(18)と嵌着するための嵌着溝(30)が設けられている。そして該カバー(23)の内巾は該軸受けブラケット(13)の外巾と略同一に設定されている。
【００１６】
図５に示すように該カバー(23)は上記前後一対の軸受けブラケット(13,13) にそれぞれ上方から被着され、該カバー(23)の外側板(24)の後部嵌着溝(27)と内側板(25)の後部嵌着溝(29)には該側枠(3) の下梁(10)が嵌着され、該内側板(25)の前部嵌着溝(30)には該Ｘ枠(11,12) のベースパイプ(18)が嵌着され、図６に示すように前後一対の軸受けブラケット(13,13) の軸孔(13A) の外側は該外側板(24)の前部閉鎖部(28)によって閉鎖される。
【００１７】
このようにして該回動軸杆(22)は該Ｘ枠(11,12) のベースパイプ(18)から抜け出すことを阻止され、該ベースパイプ(18)は該回動軸杆(22)を回動軸として回動可能であり、該Ｘ枠(11,12) の回動杆(11A,12A) の下端はかくして該側枠(3) の下梁(10)に回動可能に取付けられる。
【００１８】
Ｘ枠(11,12) を取替えて座巾を調節するには、カバー(23)を下梁(10)の軸受けブラケット(13)から取りはずせば、Ｘ枠(11,12) のベースパイプ(18)内から回動軸杆(22)を抜き出し、該Ｘ枠(11,12) のベースパイプ(18)を該側枠(3) の下梁(10)から取りはずすことが可能となる。
そして所定の座巾を提供するＸ枠(11,12) を選択し、前述と同様に側枠(3,3) に取付ける。
さらにリンクアーム(31,31) を回動杆(12A,12A) の中央より上部と側枠(3,3) の座梁部(4) のリンクアーム取付部(14,14) とに差し渡し、回動杆(12A,12A) に設けられたネジ穴（図示せず) およびリンクアーム取付けブラケット(14,14) のネジ穴(14A) をネジ(32,33) にて固定する。
【００１９】
本実施例以外、軸受けブラケット(13)の閉鎖手段としては、例えば図７に示すように円盤磁石(23A) を使用してもよい。
【産業上の利用可能性】
【００２０】
本発明の車椅子は使用者の体形に対応して適当な座巾に簡単に調節出来るので、産業上利用可能である。
【図面の簡単な説明】
【００２１】
図１〜図６は本発明の実施例を示すものである。
【図１】車椅子側面図
【図２】車椅子正面図
【図３】Ｘ枠を側枠に取付ける構造を説明するための斜視図
【図４】Ｘ枠のベースパイプを側枠下梁に取付け抜止めを行なう構造を説明するための部分斜視図
【図５】カバーを軸受けブラケットに被着した状態の部分斜視図
【図６】カバーを軸受けブラケットに被着した状態の部分断面図
【図７】他の実施例の説明斜視図
【図８】従来例の説明斜視図
【符号の説明】
【００２２】
1             車椅子
３            側枠
10            下梁
11,12         Ｘ枠
11A,12A       回動杆
13            軸受けブラケット
13A           軸孔
18            ベースパイプ
22            回動軸杆
23            カバー（閉鎖手段）
24            外側板
25            内側板
26            上板
27,29,30      嵌着溝
28            閉鎖部
【図１】
2007275492.tif 000003
【図２】
2007275492.tif 000004
【図３】
2007275492.tif 000005
【図４】
2007275492.tif 000006
【図５】
2007275492.tif 000007
【図６】
2007275492.tif 000008
【図７】
2007275492.tif 000009
【図８】
2007275492.tif 000010